(57)【要約】【課題】ユーザが設定した環境設定情報についても、録画したデジタル放送と共に可搬できる着脱可能な記録媒体を得る。【解決手段】着脱可能な記録媒体には、記録媒体を利用可能な記録再生装置の使用時における環境設定を示す、記録再生装置毎の環境設定情報と、記録再生装置を起動させる起動プログラムと、環境設定情報に基づき記録再生装置を動作させるオペレーティングシステムとが記録されている。【選択図】  図１
2004152450.tif 000002
【特許請求の範囲】
【請求項１】
デジタル放送を、録画および再生できるコンピュータ読取可能で着脱可能な記録媒体において、
前記記録媒体を利用可能な記録再生装置の使用時における環境設定を示す、記録再生装置毎の環境設定情報と、
前記記録再生装置を起動させる起動プログラムと、
前記環境設定情報に基づき記録再生装置を動作させるオペレーティングシステムとを記録したことを特徴とする着脱可能な記録媒体。
【請求項２】
前記環境設定情報は、前記記録再生装置を他の記録再生装置と識別する装置固有の情報を有していることを特徴とする請求項１記載の着脱可能な記録媒体。
【請求項３】
前記記録再生装置の環境設定が変更された場合、変更された環境設定に基づいた環境設定情報が記録されることを特徴とする請求項１または２記載の着脱可能な記録媒体。
【請求項４】
前記環境設定情報は、前記着脱可能な記録媒体に記録されたデジタル放送を所定の順に再生するためのプログラム再生設定を有していることを特徴とする請求１から３の何れか１項に記載の着脱可能な記録媒体。
【請求項５】
前記環境設定情報は、各ユーザのユーザ名とパスワードとが設定された個人環境設定を有していることを特徴とする請求項１から４の何れか１項に記載の着脱可能な記録媒体。
【請求項６】
デジタル放送を録画できる着脱可能な記録媒体に対して、デジタル放送の録画および再生を行なう記録再生装置において、
前記着脱可能な記録媒体に、前記記録再生装置の使用時における環境設定を示す環境設定情報を記録する記録部と、
前記記録再生装置の起動時に、前記着脱可能な記録媒体に記録された前記環境設定情報に基づき前記記録再生装置の環境設定を行なう設定部とを有することを特徴とする記録再生装置。
【請求項７】
前記記録部は、前記着脱可能な記録媒体に、起動プログラムおよびオペレーティングシステムを記録するものであり、
さらに、前記記録再生装置は、前記起動プログラムに基づいて前記オペレーティングシステムを起動させる起動部を備えていることを特徴とする請求項６記載の記録再生装置。
【請求項８】
前記記録部は、前記記録再生装置を他の記録再生装置と識別する装置固有の情報を、前記着脱可能な記録媒体に環境設定情報として記録するものであり、
前記設定部は、前記着脱可能な記録媒体を利用する場合には、前記装置固有の情報に基づいた環境設定を行なうことを特徴とする請求項６または７記載の記録再生装置。
【請求項９】
前記環境設定情報は、前記着脱可能な記録媒体に記録されたデジタル放送を所定の順に再生するためのプログラム再生設定を有し、
前記プログラム再生設定に基づいて、前記着脱可能な記録媒体に記録されたデジタル放送を再生することを特徴とする請求項６から８の何れか１項に記載の記録再生装置。
【請求項１０】
前記環境設定情報は、各ユーザのユーザ名とパスワードとが設定された個人環境設定を有し、
前記個人環境設定に基づいて、前記記録再生装置の利用が可能となることを特徴とする請求項６から９の何れか１項に記載の記録再生装置。
【請求項１１】
内部に、デジタル放送を録画可能な他の記録媒体を少なくとも１つ以上備え、前記環境設定情報は、前記他の記録媒体に録画されたデジタル放送を、前記着脱可能な記録媒体に複製するための予約設定を有し、
前記予約設定に基づき、前記他の記録媒体に録画されたデジタル放送を複製することを特徴とする請求項６から１０の何れか１項に記載の記録再生装置。
【請求項１２】
デジタル放送を録画できる着脱可能な記録媒体を利用する記録再生装置に関し、該記録再生装置の使用時における環境設定を行なうための環境設定方法において、
前記記録再生装置が、前記着脱可能な記録媒体に予め記録された、前記記録再生装置の使用時における環境設定を示す環境設定情報を読み取る第１のステップと、
前記第１のステップで読み取った環境設定情報に基づいて記録再生装置の環境設定を行なう第２のステップとを備えていることを特徴とする記録再生装置の環境設定方法。
【請求項１３】
請求項１２記載の記録再生装置の環境設定方法をコンピュータに実行させる環境設定プログラム。
【発明の詳細な説明】
【０００１】
【発明の属する技術分野】
本発明は、着脱可能な記録媒体、この着脱可能な記録媒体を利用できる記録再生装置、この記録再生装置の使用時における環境設定を行なうための環境設定方法、および、上記環境設定のためのプログラムに関する。
【０００２】
【従来の技術】
近年、ＣＳ放送やＢＳ放送等のデジタル放送信号を録画する記録媒体として、従来のビデオテープに代わり、ハードディスク（ＨＤＤ）やデジタルビデオディスク（ＤＶＤ）等のデジタル方式の記録媒体が用いられている。また、このデジタル方式の記録媒体（以下、単に、記録媒体と称する）を記録再生するための記録再生装置が提供されている。
【０００３】
上記記録媒体では、録画データの記録情報となる録画情報を記録することができ、この記録媒体を扱うことのできる記録再生装置において、上記録画情報の閲覧が可能となっている。また、上記記録媒体には、録画情報以外の情報を記録することができる。この録画情報以外の情報を用いた一例としては、特開２００２−１５０７５０号公報に開示されているように、ＤＶＤ等の記録媒体に録画情報以外の情報である予約情報を記録し、この記録媒体から読み取った予約情報に基づいて、記録再生装置が自動的に記録動作を実行するものがある。また、メールや蓄積放送等の付加サービス機能を具備した記録再生装置、例えば、ｅｐ株式会社のｅｐサービス対応機も存在する。
【０００４】
これらの記録再生装置においては、デジタル放送番組の録画やデジタル放送の視聴のために、多様な環境設定が必要となる。つまり、予約を行なう際や、上記付加サービス機能を利用する際における、記録再生装置の環境設定が必要となる。
【０００５】
また、デジタル放送信号には、番組データとして、電子番組ガイド（ＥＰＧ）が含まれている。上記ＥＰＧは、デジタル放送信号に重畳して送られてくる文字データであって、番組のタイトル、話数、放送時間、概要等で構成されている。
このＥＰＧを利用することにより、通常の録画に必要な手間を省くことができ、録画内容の管理も容易となる。このＥＰＧを利用する際にも、記録再生装置の環境設定が必要となる。
【０００６】
また、上記環境設定の情報（以下、環境設定情報と称する）の一例として、記録再生装置やこの記録再生装置のリモートコントローラに備えられているボタンに関し、ボタンの機能をユーザが選択決定するためのボタン設定や、録画情報を表示装置を用いて視聴する際の視聴設定等が挙げられる。
【０００７】
上記記録再生装置においては、記録再生装置に内蔵されている固定ハードディスク装置や不揮発性メモリ等に、上述した環境設定の情報が保存されており、この環境設定情報は、記録再生装置ごとに設定することができるようになっている。
【０００８】
また、電話回線を利用して記録再生装置をネットワークにつなぎ、メール等のユーザ認証が必要なサービスが利用できる記録再生装置においては、一つの記録再生装置でも複数人のユーザがそれぞれログインすることができ、個人用のメール送受信のサービス等を利用することも可能である。
【０００９】
一方、ビデオテープやＤＶＤ等の記録媒体は、手軽に持ち運ぶことができ、これらの記録媒体を扱うことができる記録再生装置で利用するのであれば、録画した内容である録画情報の閲覧や、番組録画をすることが可能である。
【００１０】
【特許文献１】
特開２００２−１５０７５０号公報（公開日：平成１４年５月２４日）
【００１１】
【発明が解決しようとする課題】
ところで、上記記録再生装置自体に記憶されている、ユーザが選択決定したボタン設定や、上記視聴設定等に代表される環境設定情報は記録再生装置固有のものである。それゆえ、上記環境設定情報は装置毎に異なることになる。
【００１２】
また、このような環境設定情報は、上記記録再生装置においては、ビデオテープなどの記録媒体（着脱可能な記録媒体、リムーバブル記録媒体）を介しては持ち運ぶことはできず、記録再生装置毎に自分の使いやすい環境設定で使うために、その都度、設定をやり直す必要があった。あるいは、使いづらい設定を我慢して使わなければならないという問題があった。
【００１３】
図１３は、これら従来の記録再生装置における処理内容を示したフローチャートである。ここでは、まず、リムーバブル記録媒体をこの媒体の駆動装置であるドライブに挿入した後、このリムーバブル記録媒体が、このドライブを有する記録再生装置に対応しているか否かが判断される（Ｓ２０１）。つまり、上記リムーバブル記録媒体が、記録再生装置で使用可能か否かが判断される。
【００１４】
もし、対応可能であれば、記録再生装置がブートプログラム（起動プログラム）の読み出しを行なう（Ｓ２０２）。これにより、記録再生装置が立ち上がる。
対応可能でなければ、表示装置にエラーメッセージを表示する（Ｓ２０３）。ブートプログラムの読み出しを終えた後は、オペレーティングシステム（ＯＳ）の読み出しを行なう。（Ｓ２０４）。これにより、オペレーティングシステムが起動する。
【００１５】
上記オペレーティングシステムを読み出した後は、記録再生装置に記憶された環境設定情報の読み出しを行ない、この読み出した環境設定情報で環境の設定を行なう（Ｓ２０５）。この後、上記の環境設定を変更するか否かが判断される（Ｓ２０６）。もし、環境設定の変更をする必要がなければ、記録再生装置は待機状態となる（Ｓ２０７）。一方、環境設定の変更をする必要がある場合には、ユーザによる環境設定の変更を行なう（Ｓ２０８）。つまり、新たな環境設定情報が作成される。また、Ｓ２０８ステップの後は、再度、Ｓ２０６ステップに戻ることになる。
【００１６】
このように、記録再生装置毎に自分の使いやすい環境設定で使うためには、その都度、設定をやり直す必要があった。また、使いづらい設定を我慢して使わなければならなかった。
【００１７】
また、一つの装置で複数人の利用が可能な、メール等の付加サービスが今後増えていくことが予想されるが、１つの装置で複数人が利用する場合、利用するユーザが、登録されたユーザ名の中から自己のユーザ名等を選択し、自己の認証をしなければならないという手間がある。また、ユーザ登録がされていない記録再生装置では利用することができないため、他の場所に設置された記録再生装置でサービスを利用しようとしても利用できない場合が多い。もし、利用できたとしても、従来ではユーザ登録等の初期設定を最初からやらなければならないという問題があった。
【００１８】
本発明は上記の問題点に鑑みなされたものであって、その目的は、利用するユーザが設定した環境設定情報についても、録画番組等と共に可搬できるような着脱可能な記録媒体、この着脱可能な記録媒体を利用可能な記録再生装置、記録再生装置の環境設定方法、および、環境設定プログラムを提供することにある。
【００１９】
【課題を解決するための手段】
本発明の着脱可能な記録媒体は、上記の課題を解決するために、デジタル放送を、録画および再生できるコンピュータ読取可能で着脱可能な記録媒体において、前記記録媒体を利用可能な記録再生装置の使用時における環境設定を示す、記録再生装置毎の環境設定情報と、前記記録再生装置を起動させる起動プログラムと、前記環境設定情報に基づき記録再生装置を動作させるオペレーティングシステムとを記録したことを特徴としている。
【００２０】
上記の発明によれば、上記着脱可能な記録媒体は、記録再生装置の使用時における環境設定を示す環境設定情報を、記録再生装置毎に記録することができる。
また、上記環境設定情報は、記録再生装置のコンピュータで読み取ることができる。
【００２１】
つまり、上記着脱可能な記録媒体は、使用する記録再生装置に応じて、それぞれの装置で設定され得る環境設定情報を記録することができ、さらに、これらの環境設定情報は記録再生装置により読み取ることができる。
【００２２】
ここで、予め、ユーザが、各記録再生装置の環境設定をユーザ好みの設定に変更し、これらを環境設定情報として着脱可能な記録媒体に記録することにより、着脱可能な記録媒体には、各記録再生装置に対応したユーザ好みの環境設定情報が記録されることになる。
【００２３】
また、上記着脱可能な記録媒体は、起動プログラムにより前記記録再生装置を起動させ、オペレーティングシステムにより、前記環境設定情報に基づいた環境設定で記録再生装置を動作させることができる。
【００２４】
したがって、記録再生装置で着脱可能な記録媒体を再生する際に、上記起動プログラムで記録再生装置を起動させ、オペレーティングシステムで、この記録再生装置に対応した環境設定にて記録再生装置を動作させることにより、その使用の都度、記録再生装置の初期の設定をユーザが変更するといった手間がなくなり、常に、記録再生装置毎にユーザ好みの環境設定で記録再生装置を利用することが可能となる。それゆえ、ユーザが設定した環境設定情報についても録画したデジタル放送と共に可搬できるようになり、記録再生装置を快適に利用することができる。
【００２５】
また、本発明の着脱可能な記録媒体は、上記の着脱可能な記録媒体において、前記環境設定情報は、前記記録再生装置を他の記録再生装置と識別する装置固有の情報を有していることを特徴としている。
【００２６】
上記の発明によれば、前記環境設定情報は、前記記録再生装置を他の記録再生装置と識別する装置固有の情報を有している。つまり、各記録再生装置を識別する装置固有の情報を有している。
【００２７】
したがって、記録再生装置で着脱可能な記録媒体を再生する際に、上記装置固有の情報に基づくことにより、記録再生装置が、この記録再生装置に対応した環境設定情報を読み出すことが可能となる。
【００２８】
また、本発明の着脱可能な記録媒体は、上記の着脱可能な記録媒体において、前記記録再生装置の環境設定が変更された場合、変更された環境設定に基づいた環境設定情報が記録されることを特徴としている。
【００２９】
上記の発明によれば、前記記録再生装置の環境設定が変更された場合、変更された環境設定に基づいた環境設定情報が記録される。つまり、ユーザが記録再生装置の環境設定を変更した場合には、その変更した情報が着脱可能な記録媒体に、その記録再生装置の環境設定情報として記録される。
【００３０】
したがって、上記記録再生装置を、再度、使用する場合においても、変更した環境設定で記録再生装置を起動することが可能となる。
【００３１】
また、本発明の着脱可能な記録媒体は、上記の着脱可能な記録媒体において、前記環境設定情報は、前記着脱可能な記録媒体に記録されたデジタル放送を所定の順に再生するためのプログラム再生設定を有していることを特徴としている。
【００３２】
上記の発明によれば、前記環境設定情報は、前記着脱可能な記録媒体に記録されたデジタル放送を所定の順に再生するためのプログラム再生設定を有している。なお、再生したい番組名および再生順番等は、予め、ユーザが指定しておけばよい。
【００３３】
したがって、このプログラム再生設定が含まれる環境設定情報を、一旦、例えば記録再生装置の立ち上げ時に記録再生装置が読み込めば、記録再生装置の起動後において、ユーザは特別な操作を行なわなくても、自動的にユーザ好みの順番で番組の再生を行なうことが可能となる。
【００３４】
また、本発明の着脱可能な記録媒体は、上記の着脱可能な記録媒体において、前記環境設定情報は、各ユーザのユーザ名とパスワードとが設定された個人環境設定を有していることを特徴としている。
【００３５】
上記の発明によれば、前記環境設定情報は、各ユーザのユーザ名とパスワードとが設定された個人環境設定を有している。つまり、着脱可能な記録媒体には、各個人のユーザ名とパスワードとが記録されている。
【００３６】
したがって、この着脱可能な記録媒体を用いることにより、個人認証が必要となるサービス、例えばメールの送受信のサービスを、ユーザ名等の登録がされていない記録再生装置においても、パスワードの確認を行なうだけで受けることが可能となる。
【００３７】
本発明の着脱可能な記録再生装置は、上記の課題を解決するために、デジタル放送を録画できる着脱可能な記録媒体に対して、デジタル放送の録画および再生を行なう記録再生装置において、前記着脱可能な記録媒体に、前記記録再生装置の使用時における環境設定を示す環境設定情報を記録する記録部と、前記記録再生装置の起動時に、前記着脱可能な記録媒体に記録された前記環境設定情報に基づき前記記録再生装置の環境設定を行なう設定部とを有することを特徴としている。
【００３８】
上記の発明によれば、記録部により、上記着脱可能な記録媒体に、記録再生装置の使用時における環境設定を示す環境設定情報が記録される。また、設定部により、上記記録再生装置の起動時に、着脱可能な記録媒体に記録された環境設定情報に基づき記録再生装置の環境設定がなされる。
【００３９】
つまり、記録再生装置は、着脱可能な記録媒体に対して、その記録再生装置の環境設定を環境設定情報として記録可能であるとともに、起動時において、この着脱可能な記録媒体に記録された環境設定情報に基づき環境設定を行える。
【００４０】
したがって、上記記録再生装置は、使用する着脱可能な記録媒体に環境設定情報を記録することができると共に、この記録再生装置に関し異なる環境設定情報を有する複数の着脱可能な記録媒体を使用する場合においても、それぞれの着脱可能な記録媒体に記録された環境設定情報に基づき環境設定を行うことが可能となる。
【００４１】
それゆえ、記録再生装置で着脱可能な記録媒体を再生する際には、その使用の都度、記録再生装置の初期の設定をユーザが変更するといった手間がなくなり、常に、着脱可能な記録媒体毎に記録された環境設定で記録再生装置を利用することが可能となる。
【００４２】
また、本発明の記録再生装置は、上記の記録再生装置において、前記記録部は、前記着脱可能な記録媒体に、起動プログラムおよびオペレーティングシステムを記録するものであり、さらに、前記記録再生装置は、前記起動プログラムに基づいて前記オペレーティングシステムを起動させる起動部を備えていることを特徴としている。
【００４３】
上記の発明によれば、記録部は、前記着脱可能な記録媒体に、起動プログラムおよびオペレーティングシステムを記録する。また、起動部は、前記起動プログラムに基づいて前記オペレーティングシステムを起動させる。
【００４４】
したがって、記録再生装置に、起動プログラムおよびオペレーティングシステムを記録させておく必要がなくなり、記録再生装置におけるメモリ等の記憶領域の使用量を少なくすることができる。
【００４５】
また、本発明の記録再生装置は、上記の記録再生装置において、前記記録部は、前記記録再生装置を他の記録再生装置と識別する装置固有の情報を、前記着脱可能な記録媒体に環境設定情報として記録するものであり、前記設定部は、前記着脱可能な記録媒体を利用する場合には、前記装置固有の情報に基づいた環境設定を行なうことを特徴としている。
【００４６】
上記の発明によれば、記録部は、前記記録再生装置を他の記録再生装置と識別する装置固有の情報を、前記着脱可能な記録媒体に環境設定情報として記録する。また、設定部は、前記着脱可能な記録媒体を利用する場合には、前記装置固有の情報に基づいた環境設定を行なう。
【００４７】
したがって、記録再生装置で着脱可能な記録媒体を再生する際に、上記装置固有の情報に基づくことにより、記録再生装置が、この記録再生装置に対応した環境設定情報を基に環境設定を行なうことが可能となる。
【００４８】
また、本発明の記録再生装置は、上記の記録再生装置において、前記環境設定情報は、前記着脱可能な記録媒体に記録されたデジタル放送を所定の順に再生するためのプログラム再生設定を有し、前記プログラム再生設定に基づいて、前記着脱可能な記録媒体に記録されたデジタル放送を再生することを特徴としている。
【００４９】
上記の発明によれば、環境設定情報は、着脱可能な記録媒体に記録されたデジタル放送を所定の順に再生するためのプログラム再生設定を有している。そして、記録再生装置は、プログラム再生設定に基づいて、前記着脱可能な記録媒体に記録されたデジタル放送を再生する。なお、再生したい番組名および再生順番等は、予め、ユーザが指定しておけばよい。
【００５０】
したがって、このプログラム再生設定が含まれる環境設定情報を、一旦、例えば記録再生装置の立ち上げ時に記録再生装置が読み込めば、記録再生装置の起動後において、ユーザは特別な操作を行なわなくても、自動的にユーザ好みの順番で番組の再生を行なうことが可能となる。
【００５１】
また、本発明の記録再生装置は、上記の記録再生装置において、前記環境設定情報は、各ユーザのユーザ名とパスワードとが設定された個人環境設定を有し、前記個人環境設定に基づいて、前記記録再生装置の利用が可能となることを特徴としている。
【００５２】
上記の発明によれば、環境設定情報は、各ユーザのユーザ名とパスワードとが設定された個人環境設定を有している。つまり、着脱可能な記録媒体には、各個人のユーザ名とパスワードとが記録されている。
【００５３】
また、記録再生装置は、個人環境設定に基づいて、前記記録再生装置の利用が可能となるものである。
【００５４】
したがって、記録再生装置にユーザ名等の登録がされていなくとも、着脱可能な記録媒体を用いることにより、個人認証が必要となるサービス、例えばメールの送受信のサービスを、パスワードの確認を行なうだけで、上記記録再生装置で受けることが可能となる。
【００５５】
また、本発明の記録再生装置は、上記の記録再生装置において、内部に、デジタル放送を録画可能な他の記録媒体を、少なくとも１つ以上備え、前記環境設定情報は、前記他の記録媒体に録画されたデジタル放送を、前記着脱可能な記録媒体に複製するための予約設定を有し、前記予約設定に基づき、前記他の記録媒体に録画されたデジタル放送を複製することを特徴としている。
【００５６】
上記の発明によれば、記録再生装置は、内部に、上記着脱可能な記録媒体とは異なる、デジタル放送を録画可能な他の記録媒体を、少なくとも１つ以上備えている。
【００５７】
また、環境設定情報は、前記他の記録媒体に録画されたデジタル放送を前記着脱可能な記録媒体に複製するための設定情報である予約設定を有している。つまり、ユーザが着脱可能な記録媒体に複製しようとする、録画されたデジタル放送を表す設定が環境設定情報に含まれている。
【００５８】
したがって、録再生装置が予約設定を読み込むことにより、その後の特段の操作を必要とせずに、着脱可能な記録媒体に複製したいとユーザが考えている録画されたデジタル放送を、前記着脱可能な記録媒体に複製することが可能となる。
【００５９】
なお、上記他の記録媒体は、着脱可能な方式の記録媒体であっても、固定設置する方式の記録媒体のどちらであってもよい。
【００６０】
本発明の記録再生装置の環境設定方法は、上記の課題を解決するため、デジタル放送を録画できる着脱可能な記録媒体を利用する記録再生装置に関し、該記録再生装置の使用時における環境設定を行なうための、記録再生装置の環境設定方法において、前記記録再生装置が、前記着脱可能な記録媒体に予め記録された、前記記録再生装置の使用時における環境設定を示す環境設定情報を読み取る第１のステップと、前記第１のステップで読み取った環境設定情報に基づいて記録再生装置の環境設定を行なう第２のステップとを備えていることを特徴としている。
【００６１】
上記の方法によれば、まず、第１のステップにより、記録再生装置が、前記着脱可能な記録媒体に予め記録された、前記記録再生装置の使用時における環境を示す環境設定情報を読み取る。
【００６２】
また、第２のステップにより、第１のステップで読み取った環境設定情報に基づいて記録再生装置の環境設定を行なう。
【００６３】
したがって、上記記録再生装置に関し異なる環境設定情報が記録された複数の着脱可能な記録媒体を利用する場合においても、それぞれの着脱可能な記録媒体に記録された環境設定情報に基づき環境設定を行なえる。
【００６４】
それゆえ、上記の方法を用いることにより、記録再生装置で着脱可能な記録媒体を再生する際に、その使用の都度、記録再生装置の初期の設定をユーザが変更するといった手間がなくなり、常に、着脱可能な記録媒体毎に記録された環境設定情報に基づいた環境設定を行なうことができる。
【００６５】
本発明の環境設定プログラムは、上記の記録再生装置の環境設定方法をコンピュータに実行させるものである。
【００６６】
したがって、一般的なコンピュータに上記環境設定プログラムをロードすることにより、コンピュータを上記記録再生装置として利用できる。
【００６７】
【発明の実施の形態】
〔実施の形態１〕
本発明の実施の形態について図１から図９に基づいて説明すれば、以下のとおりである。
【００６８】
図２は、リムーバブルハードディスク１ａを複数の映像表示装置（２・３）で用いる際の装置全体の概略構成を示した説明図である。
【００６９】
映像表示装置２は、図２に示すとおり、記録再生装置２ａ、モニタ２ｂ、アンテナ２ｃ、リモートコントローラ２ｄを有している。また、上記記録再生装置２ａには、スロット２ｅが設けられている。
【００７０】
上記モニタ２ｂは、テレビ（ＴＶ）等に代表される放送や、録画内容等の表示を行なうものである。また、上記アンテナ２ｃは、放送を受信するためのものであり、記録再生装置２ａに接続されている。さらに、上記リモートコントローラ２ｄは、放送している番組のチャンネル切り替え、および、それぞれに対応する記録再生装置２ａのメニュー操作等、記録再生装置２ａについての全般の操作を行なうためのものである。
【００７１】
また、上記スロット２ｅは、リムーバブルハードディスク１ａ（着脱可能な記録媒体）を記録再生装置２ａに挿入するために設けられている。
【００７２】
上記リムーバブルハードディスク１ａは、後述する環境設定情報を有する記録媒体である。また、記録再生装置２ａ本体に対して容易に取り外しが可能な、ＲＯＭ（リードオンリーメモリ）領域とＲＡＭ（ランダムアクセスメモリ）領域とを有する記録媒体である。なお、本実施の形態では、リムーバブル記録媒体の一例として、上記リムーバブルハードディスク１ａを用いているが、これに限定されない。
【００７３】
例えば、ＣＤ−ＲＷ、ＤＶＤ−ＲＡＭ、ＤＶＤ−ＲＷ、ＤＶＤ＋ＲＷ等のディスク形状のリムーバブル記録媒体や、フラッシュメモリ、コンパクトフラッシュ（登録商標）、スマートメディア、メモリースティック、ＳＤカード等のリムーバブル記録媒体においても、本実施の形態は適用可能である。
【００７４】
また、上記記録再生装置２ａは、固定ハードディスク等の他の記憶装置を具備した構成としてもよい。
【００７５】
また、映像表示装置３は、図２に示すとおり、記録再生装置３ａ、モニタ３ｂ、アンテナ３ｃ、リモートコントローラ３ｄを有している。また、上記記録再生装置３ａには、スロット３ｅが設けられている。
【００７６】
上記モニタ３ｂはモニタ２ｂと同一の機能を有するものである。また、上記アンテナ３ｃはアンテナ２ｃと同一の機能を有するものである。さらに、上記リモートコントローラ３ｄはリモートコントローラ２ｄと同一の機能を有するものである。
【００７７】
なお、上記モニタ３ｂとモニタ２ｂとは、同一のモニタであってもよい。また、上記アンテナ３ｃとアンテナ２ｃとは、同一のアンテナであってもよい。さらに、上記リモートコントローラ３ｄとリモートコントローラ２ｄとは、同一のアンテナであってもよい。
【００７８】
また、上記記録再生装置３ａは、リムーバブルハードディスク１ａのデータを読み出したり、リムーバブルハードディスク１ａに対してデータを書き込んだりする点については、上記記録再生装置２ａと同様な機能を有するが、後述する記録再生装置固有の起動ＩＤ等の情報が相違する点で上記記録再生装置２ａとは異なる。
【００７９】
なお、上記の説明では説明の便宜上、映像表示装置として２つの映像表示装置（２・３）を挙げているが、これに限定されるものでなく、映像表示装置の数は限定されるものではない。
【００８０】
図３は、記録再生装置２ａの構成を示すブロック図である。なお、上記記録再生装置３ａも記録再生装置２ａと同様な構成を有している。
【００８１】
上記記録再生装置２ａは、図３に示すとおり、インタフェイス部２１、中央処理部２２、入力部２３、表示部２４、および、不揮発性メモリ２５を備えている。
【００８２】
上記インタフェイス部２１は、リムーバブルハードディスク１ａに対して、データの読み書きを等を行なうために設けられたものであり、上記中央処理部２２と不揮発性メモリ２５との間で、データの送受信を行なうものである。
【００８３】
また、上記中央処理部２２は、記録再生装置２ａ全体の動作制御等を行なう処理部であり、インタフェイス部２１とのデータの送受信、入力部２３からのデータの受信、および、表示部２４へのデータの送信が可能となっている。そして、この中央処理部２２は、主として、後述するようにリムーバブルハードディスク１ａから読み取った各種工程の機能を実現するための各種プログラムを実行して、記録再生装置２ａ本体の環境設定を行なうものである。
【００８４】
上記入力部２３は、リモートコントローラ２ｄから送信されてくる各種操作信号を受信し、中央処理部２２へデータを送信するものである。また、同時に、記録再生装置２ａの例えばフロントパネル部に備えられたボタン等の入力や操作のデバイスでもある。
【００８５】
上記表示部２４は、中央処理部２２からデータを受信し、上記モニタ２ｂなどに映像表示を行なうものである。また、上記不揮発性メモリ２５は、補助的に用いられる補助記録媒体である。
【００８６】
図４は、リムーバブルハードディスク１ａの概略構成を示した説明図である。
【００８７】
上記リムーバブルハードディスク１ａは、図４に示すとおり、ＲＯＭ領域１１とＲＡＭ領域１２とを有している。
【００８８】
上記ＲＯＭ領域１１には、例えば、起動時に最初に読み込まれるブートプログラム（起動プログラム）等の起動用ソフトウェアや、カーネルから立ち上げるオペレーティングシステム等の基本ソフトウェアの起動の仕組みを記載したプログラムデータが記録してある。また、上記ＲＯＭ領域１１には、記録再生機能やメール機能等を利用するためのソフトウェアも記録されている。なお、上記ＲＯＭ領域１１は、データの読み出し専用のメモリ領域であり、データの書き換えは行なえないようになっている。
【００８９】
上記ＲＡＭ領域１２は、ＴＶ放送等を録画した録画データ、および、環境設定情報が記録できるメモリ領域である。また、このＲＡＭ領域１２では、データの読み書きの両方ができるようになっている。
【００９０】
図１は、ＲＯＭ領域１１とＲＡＭ領域１２とのそれぞれの領域に記録されているデータを示した説明図である。
【００９１】
上記ＲＯＭ領域１１には、図１に示すとおり、オペレーティングシステム、ブートプログラム、録再装置の初期環境設定情報、メール送受信のためのプログラム等の変更されないデータが記録されている。また、上記ＲＡＭ領域１２には、ＴＶ放送を録画した録画データ、受信したメールデータ、ユーザの環境設定情報等の新たに加えられていく各種データが記録される。さらに、ソフトウェアのバージョン差分データ等もこのＲＡＭ領域１２に記録される。
【００９２】
なお、図１では、一つの録画データ、記録再生装置２ａの環境設定情報Ａ１、および、録再装置３ａの環境設定情報Ａ２が記録されており、残りの領域は空き領域であるとする。
【００９３】
なお、図示していないが、上記ＲＯＭ領域１１には、オペレーティングシステムなどの他に各種ドライバ、例えば、入出力のためのユーザインタフェイスとしてのドライバや、リムーバブルハードディスク１ａ自身の読み書きのためのドライバなども記録されている。また、上記ＲＡＭ領域１２には、空き領域が存在する限り、録画データや環境設定情報の記録が可能である。
【００９４】
上述したように、図３に示すインタフェイス部２１は、リムーバブルハードディスク１ａに対して、データの読み書きを行なうものであるが、このインタフェイス部２１は、主として、リムーバブルハードディスク１ａのＲＯＭ領域１１およびＲＡＭ領域１２に書き込まれているプログラムまたはデータを読み取るものである。
【００９５】
また、このインタフェイス部２１は、環境設定が変更された場合や、初めて初期設定を行った場合に、上記ＲＡＭ領域１１に対して、設定した環境設定と不揮発性メモリ２５に記録されている後述する記録再生装置固有の起動ＩＤ等の情報を読み書きする。
【００９６】
上記表示部２４は、上述したように、中央処理部２２からデータを受信し、上記モニタ２ｂなどに映像表示を行なうものであるが、より詳しくは、テレビやディスプレイなどのモニタ２ｂにリムーバブルハードディスク１ａのＲＯＭ領域１１とＲＡＭ領域１２に書き込まれている各種データに基づいて、ＴＶ放送やメニュー画面等の表示を行なうものである。
【００９７】
ここで、上記インタフェイス部２１を含めた、リムーバブルハードディスク１ａに上記環境設定情報を記録する部を記録部と称する。また、上記中央処理部２２を含め、記録再生装置（２ａ・３ａ）の起動時に、リムーバブルハードディスク１ａに記録された環境設定情報に基づき記録再生装置の環境設定を行なう部を設定部と称する。なお、後述する他の実施の形態においても、リムーバブルハードディスクに上記環境設定情報を記録する部を記録部と称し、記録再生装置の起動時に、リムーバブルハードディスクに記録された環境設定情報に基づき記録再生装置の環境設定を行なう部を設定部と称する。
【００９８】
次に、上記ＲＡＭ領域１２に記録されている環境設定情報について、詳細に説明を行なう。図５は、ＲＡＭ領域１２に記録される環境設定情報の一例を示した説明図である。
【００９９】
本実施の形態に係るリムーバブルハードディスク１ａの環境設定情報には、図５に示すとおり、例えば、放送視聴設定、設置調整設定、予約設定、ボタン設定、ユーザ設定、および、起動ＩＤ（装置固有の情報）が含まれている。なお、後述するように、上記環境設定情報には、プログラム再生設定や、個人環境設定等の様々な設定を含ませることができる。
【０１００】
上記放送視聴設定は、字幕表示の有無や視聴年齢制限、放送視聴中の番組のチャンネルや情報表示の有無等を設定するものである。また、上記設置調整設定は、接続しているモニタ（２ｂ・３ｂ）等の表示装置の画面の縦横比率の設定、表示装置のデジタル映像出力の設定、および／または、アンテナ（２ｃ・３ｃ）の受信強度の設定をするものである。
【０１０１】
上記予約設定は、番組の録画予約の設定や、番組名を指定して毎週その番組を録画する設定等をするものである。また、上記ボタン設定は、リモートコントローラ（２ｄ・３ｄ）のボタンに対応するチャンネルの設定等をするものである。
さらに、上記ユーザ設定は、メールなどのユーザ認証が必要なサービスのためのユーザＩＤやパスワード等を設定するものである。
【０１０２】
上記起動ＩＤは、起動時における環境設定の対象となる記録再生装置（２ａ・３ａ）の種別判定を行なうものである。具体的には、起動ＩＤは、記録再生装置（２ａ・３ａ）に具備されている不揮発性メモリ２５に出荷時から記録されている固有の番号を記録した情報である。なお、この起動ＩＤは、記録再生装置の機種（型番号）が変われば、通常異なるものである。
【０１０３】
また、リムーバブルハードディスク１ａが初めて利用される記録再生装置（以下では、説明の便宜上、記録再生装置２ａとする）に挿入された場合、環境設定情報をＲＡＭ領域１２に記録する際に、同時に上記起動ＩＤを認識し記録する。
そして、この起動ＩＤを元にし、この記録再生装置２ａに対応する環境設定情報をリムーバブルハードディスク１ａに記録する。
【０１０４】
つまり、個々の記録再生装置に対して、上記起動ＩＤ情報毎に、各環境設定情報が同じリムーバブルハードディスク１ａに記録される。そして、起動の際に、この起動ＩＤを読み込むことにより、この起動ＩＤに応じた環境設定情報が読み出され、記録再生装置毎に最適な環境設定を行なうことが可能になる。
【０１０５】
ただし、上記環境設定情報は、環境設定情報の一例であって、これに限定されるものではない。
【０１０６】
次に、本実施の形態に係る記録再生装置（２ａ・３ａ）の起動の手順について説明する。図６は、リムーバブルハードディスク１ａによる記録再生装置の起動の手順を示すフローチャートである。
【０１０７】
ここでは、まず、リムーバブルハードディスク１ａを駆動装置であるドライブに挿入した後に、このリムーバブルハードディスク１ａが、このドライブを有する記録再生装置（以下では、説明の便宜上、記録再生装置２ａと記載する）に対応しているか否かが判断される（Ｓ１０１）。つまり、上記リムーバブルハードディスク１ａが、上記記録再生装置２ａで使用可能か否かが記録再生装置２ａにより判断される。
【０１０８】
もし、対応可能であれば、記録再生装置２ａがブートプログラムの読み出しを行なう（Ｓ１０２）。これにより、記録再生装置２ａが立ち上がる。対応可能でなければ、上記表示部２４を介して、モニタ２ｂにエラーメッセージを表示する（Ｓ１０３）。ブートプログラムの読み出しを終えた後は、オペレーティングシステムの読み出しを行なう（Ｓ１０４）。これにより、オペレーティングシステムが起動する。ここで、記録再生装置２ａに備えられ、上記中央処理部２２を含めた、上記起動プログラムに基づいてオペレーティングシステムを起動させる部を起動部と称する。なお、後述する他の実施の形態においても、起動プログラムに基づいてオペレーティングシステムを起動させる部を起動部と称する。
【０１０９】
なお、本実施の形態では、上記オペレーティングシステムの情報をリムーバブルハードディスク１ａから読み込んでいるが、従来の記録再生装置と同様に、記録再生装置２ａ自体からブートプログラムを読み出し、さらにオペレーティングシステムも読み出すことも可能である。
【０１１０】
上記オペレーティングシステムを読み出した後は、中央処理部２２が、リムーバブルハードディスク１ａのＲＡＭ領域１２に起動ＩＤが記録されているか否かを判断する（Ｓ１０５）。もし、起動ＩＤが記録されている場合、つまり起動ＩＤが有る場合には、記録再生装置２ａの起動ＩＤと一致する起動ＩＤが、リムーバブルハードディスク１ａにあるか否かが判断される（Ｓ１０６）。
【０１１１】
より詳しくは、上記不揮発性メモリ２５に記録されている記録再生装置２ａの起動ＩＤと、リムーバブルハードディスク１ａのＲＡＭ領域１２の環境設定情報に記録されている起動ＩＤとを比較し、その同一性を判断する。リムーバブルハードディスク１ａに複数の起動ＩＤが存在する場合には、複数の起動ＩＤから、合致するものがあるか否かを判断する。
【０１１２】
上記Ｓ１０６において、リムーバブルハードディスク１ａに同一の起動ＩＤが存在した場合には、この起動ＩＤに対応した環境設定情報をＲＡＭ領域１２に読み込む（Ｓ１０８）。この後は、放送視聴が可能で操作を受け付けられる待機状態に移行する。
【０１１３】
一方、Ｓ１０５において、起動ＩＤが記録されていない場合には、上記ＲＯＭ領域１１に記録されている初期環境設定情報を、記録再生装置２ａの環境設定情報として読み込む（Ｓ１０７）。また、併せて、中央処理部２２が、表示部２４を介して、モニタ２ｂに未登録のリムーバブルハードディスク１ａである旨（つまり、このリムーバブルハードディスク１ａが、記録再生装置２ａに対応する環境設定情報を有していない旨）を表示させる。
【０１１４】
また、上記Ｓ１０６において、リムーバブルハードディスク１ａ内に同一の起動ＩＤがない場合には、他の記録再生装置では使用したことがあるが、この記録再生装置２ａでは初めての使用と判断し、中央処理部２２は、既存の環境設定で立ち上げるか否かについてのユーザからの指示を待つ（Ｓ１０９）。つまり、中央処理部２２は、既にＲＡＭ領域１２に記録されている他の記録再生装置の設定で起動するのか、あるいは、ＲＯＭ領域１１に記録されている初期環境設定情報の設定で起動するかについてのユーザからの指示を待つ。また、この際には、どちらの設定で起動するかについての選択メッセージを、表示部２４を介してモニタ２ｂに表示させる。
【０１１５】
ユーザが初期環境設定の設定を選択した場合には、上記Ｓ１０７のステップに処理を移行する。一方、ユーザが既にＲＡＭ領域１２に記録されている他の記録再生装置の設定を選択した場合には、この選択された環境設定情報を記録再生装置２ａの環境設定情報として読み込む（Ｓ１１０）。
【０１１６】
上記Ｓ１１０のステップの後は、上記読み込まれた環境設定情報と、記録再生装置２ａの起動ＩＤとがＲＡＭ領域１２に記録される（Ｓ１１１）。ここで、既に上記読み込まれた環境設定情報に、選択された他の記録再生装置の起動ＩＤが存在している場合には、この起動ＩＤを上記記録再生装置２ａの起動ＩＤに置き換える。
【０１１７】
また、同様に、Ｓ１０７の後は、上記読み込まれた初期環境設定情報と、記録再生装置２ａの起動ＩＤ情報とがＲＡＭ領域１２に記録される（Ｓ１１１）。
【０１１８】
上記Ｓ１１１の後は、放送視聴が可能で操作を受け付けられる待機状態に移行する。
【０１１９】
以上、図６に示した一連の処理を行なうことにより、一つの装置につき一度、環境設定をしておけば、上記リムーバブルハードディスク１ａに装置に対応した環境設定情報が記録される。なお、上記環境設定情報は、ユーザの好みにあうように、別途、記録再生装置毎に設定しておけば良い。つまり、異なる記録再生装置の環境設定情報を用いて立ち上げた場合であれ、ＲＯＭ領域１１に記録された初期環境設定情報を環境設定情報とした場合であれ、起動ＩＤを除いた環境設定情報をユーザの希望に応じて、別途変更しておけばよい。
【０１２０】
ところで、従来の記録再生装置においては、図１３に示すようなフローチャートで処理が行われたが、ユーザの使いやすい環境設定で記録再生装置を利用したい場合には、利用する記録再生装置が替わる毎に、ユーザが設定を変更しなおさなければならなかった。
【０１２１】
一方、本実施の形態においては、上記リムーバブルハードディスク１ａを扱うことのできる記録再生装置であれば、環境設定を一度行えば、このリムーバブルハードディスク１ａを挿入し起動するだけで、常にユーザ固有の環境設定で記録再生装置を起動することができる。したがって、設定を逐一やり直す手間が軽減される。
【０１２２】
また、各記録再生装置に対する環境設定情報を個々に記録するため、記録再生装置にリムーバブルハードディスク１ａを挿入し、この記録再生装置の使用目的に応じた環境設定に変更した場合でも、他の記録再生装置での環境設定は保存されている。したがって、再び、上記他の記録再生装置でリムーバブルハードディスク１ａを使う場合には、他の記録再生装置の環境設定で起動することができる。このように、記録再生装置毎で使用目的が違う場合などには、視聴場所や視聴番組に応じた最適な環境設定を、各記録再生装置に持たせることが可能である。
【０１２３】
また、上記の実施の形態では、リムーバブルハードディスク１ａのＲＯＭ領域１１からブートプログラムやオペレーティングシステムを読み出しているが、このＲＯＭ領域１１から読み出されるプログラムや情報は、記録再生装置自体に記録されていてもよい。つまり、記録再生装置からブートプログラムを読み出し、この記録再生装置に対応したリムーバブルハードディスク１ａが挿入された場合、リムーバブルハードディスク１ａのＲＡＭ領域１２に記録された環境設定情報を読み出すようにすることも可能であるとする。
【０１２４】
次に、記録再生装置が起動した後に特別な操作をしなくても録画した番組を自動的に再生する処理の一例として、録画した番組を指定した順番で再生処理するプログラム再生を、自動的に行なう自動再生処理について説明する。
【０１２５】
図７は、プログラム再生の一設定例を示した説明図である。上記プログラム再生では、図７に示すとおり、録画番組を再生したい順番に並べたリストを基に再生が行なわれる。
【０１２６】
図８は、プログラム再生を自動的に行なう自動再生処理を示したフローチャートである。以下、図８に基づいて、自動再生処理について説明する。なお、このフローチャートは、図６に示したフローが終了した後の処理を示している。つまり、リムーバブルハードディスク１ａを記録再生装置（ここでは、記録再生装置２ａとする）に挿入し、中央処理部２２により、環境設定情報が読み込まれ、待機状態に移った後に行われるものとする。
【０１２７】
まず、リムーバブルハードディスク１ａから読み込まれた環境設定情報のうちに、プログラム再生設定があるか否かを判断する（Ｓ３０１）。このプログラム再生設定は、上記の放送視聴設定、設置調整設定等と同じく環境設定情報を構成する設定である。
【０１２８】
ここで、プログラム再生設定があれば、再生順番が１番の録画番組Ａを、リムーバブルハードディスク１ａに記録されている録画番組データの番組名と比較し、一致する番組を検索する（Ｓ３０２）。一方、プログラム再生設定がなければ、特に処理は行なわず、終了する。
【０１２９】
上記Ｓ３０２のステップにおいて、リムーバブルハードディスク１ａに上記録画番組Ａと一致する番組が録画されている場合には、該当する番組の再生を行う（Ｓ３０３）。一方、リムーバブルハードディスク１ａに上記録画番組Ａに一致する番組が録画されていない場合には、一致するものが無い旨を伝えるメッセージを、表示部２４を介してモニタ３ａ等に表示する（Ｓ３０４）。そして、この後、処理を終了する。
【０１３０】
上記録画番組Ａの再生が終了したら、次に再生する録画番組があるか否かを判断する（Ｓ３０５）。次に再生する録画番組があれば、再び、上記Ｓ３０２のステップに戻る。次に再生する録画番組がなければ、プログラム再生が終了した旨を伝えるメッセージを、表示部２４を介してモニタ３ｂ等に表示する（Ｓ３０６）。そして  、この後、一連の処理を終了する。
【０１３１】
以上のように、録画した番組を指定した順番で再生を行なうプログラム再生設定がある場合、記録再生装置が起動した後に特別な操作をしなくても環境設定情報を読み込む際の簡単な処理にて、プログラム再生処理を始め、快適に番組再生を楽しむこと等が可能である。
【０１３２】
ただし、上記の例は、録画した内容を起動時の設定にもとづいて自動再生する処理の一例であり、プログラム再生に処理を限定するものではない。
【０１３３】
次に、環境設定情報にもとづいて設定された個人環境設定を用いて、ユーザ認証が必要となるサービスを、パスワード確認だけで利用する一例として、メールサービスを利用する際の処理を説明する。なお、上記個人環境設定は、環境設定情報を構成する一設定である。また、上記個人環境設定には、後述するように、各個人のユーザ名やパスワード等が記録される。
【０１３４】
図９は、ユーザ認証時における認証処理を示したフローチャートである。以下、図９に基づいて、認証処理について説明する。なお、このフローチャートは、図６に示したフローが終了した後の処理を示している。つまり、リムーバブルハードディスク１ａを記録再生装置（ここでは、記録再生装置２ａとする）に挿入し、中央処理部２２により、環境設定情報が読み込まれ、待機状態に移った後に行われるものとする。
【０１３５】
まず、リムーバブルハードディスク１ａから読み込まれた環境設定情報のうちに、より詳しくは個人環境設定のうちに、これから装置を利用するユーザのユーザ名とパスワードの設定があるか否かが判断される（Ｓ４０１）。ここで、上記ユーザ名とパスワードとの設定があれば、ユーザはモニタ２ｂ等で表示される指示内容にしたがい、リモートコントローラ２ｄを利用して、パスワードの入力を行なう（Ｓ４０２）。
【０１３６】
上記Ｓ４０２のステップにおいて、パスワードの設定を行なった後は、入力したパスワードが正しいか否かが判断される（Ｓ４０４）。もし、入力したパスワードが正しければ、メールの送受信などのサービスを受けることができるようになる。これにより、一連の処理は終了する。一方、上記パスワードが正しくない場合には、パスワードが間違っている旨を伝えるエラーメッセージを、表示部２４を介してモニタ２ｂ等に表示する（Ｓ４０６）。そして、この後  、処理を終了する。
【０１３７】
一方、上記ユーザ名とパスワードとの設定がなければ、メールを利用するためのユーザ名およびパスワードの設定を行なうか否かの旨を伝えるメッセージを、表示部２４を介してモニタ２ｂ等に表示し、ユーザの判断を待つ（Ｓ４０３）。
【０１３８】
もし、上記ユーザ名とパスワードとを設定するとユーザが判断した場合には、ユーザ名とパスワードとを設定する（Ｓ４０５）。一方、上記ユーザ名とパスワードとを設定しない場合には、メールの送受信などのサービスを受けることができない状態にて、一連の処理を終了する。
【０１３９】
また、上記Ｓ４０５のステップにおいて、ユーザ名とパスワードとを設定した場合には、上記Ｓ４０２のステップに進み、パスワードの入力を行なうことになる。
以上のように、ユーザ認証が必要なメールサービスを利用するためのユーザ名とパスワードとが設定されていれば、記録再生装置と他の記録再生装置とのどちらの装置を使う場合においても、パスワードの確認だけで利用することが可能である。
【０１４０】
ただし、上記の例は、起動時の設定にもとづいて設定された個人環境設定によって、ユーザ認証が必要となるサービスをパスワード確認だけで利用できる処理の一例であり、メールサービスの処理に限定するものではない。
【０１４１】
〔実施の形態２〕
本発明の他の実施の形態について図１０に基づいて説明すれば、以下のとおりである。なお、説明の便宜上、上記実施の形態１の図面に示した部材と同一機能を有する部材については、同一の符号を付し、その説明を省略する。
【０１４２】
図１０は、複数のリムーバブルハードディスク（１ｂ・１ｃ・１ｄ）を１つの映像表示装置２で用いる際の装置全体の概略構成を示した説明図である。
【０１４３】
映像表示装置２は、図１０に示すとおり、記録再生装置２ａ、モニタ２ｂ、アンテナ２ｃ、リモートコントローラ２ｄを有している。また、上記記録再生装置２ａには、スロット２ｅが設けられている。
【０１４４】
また、上記スロット２ｅは、リムーバブルハードディスク（１ｂ・１ｃ・１ｄ）を記録再生装置２ａに挿入するために設けられている。
【０１４５】
上記リムーバブルハードディスク（１ｂ・１ｃ・１ｄ）は実施の形態１で示したリムーバブルハードディスク１ａと同様な構成であって、ＲＡＭ領域１２に環境設定情報を有する記録媒体である。ただし、本実施の形態では、上記リムーバブルハードディスク１ｂ（着脱可能な記録媒体）、リムーバブルハードディスク１ｃ（着脱可能な記録媒体）、リムーバブルハードディスク１ｄ（着脱可能な記録媒体）は、それぞれに異なる環境設定情報を有しているものとする。
【０１４６】
また、以下では、リムーバブルハードディスク１ｂは環境設定情報Ｂを、リムーバブルハードディスク１ｃは環境設定情報Ｃを、リムーバブルハードディスク１ｄは環境設定情報Ｄを有しているものとする。さらに、説明の簡略化のため、上記各環境設定情報（Ｂ・Ｃ・Ｄ）は、上記記録再生装置２ａの起動ＩＤ情報を有するものとする。なお、本実施の形態では、リムーバブル記録媒体の一例として、上記リムーバブルハードディスク（１ｂ・１ｃ・１ｄ）を用いているが、これに限定されるものではなく、上記実施の形態１で示したように、様々な記録媒体を用いることができる。
【０１４７】
ここで、上記リムーバブルハードディスク１ｂを記録再生装置２ａに挿入した場合には、上記実施の形態１の図６で示したフローで処理が行なわれ、上記環境設定情報Ｂに基づいた環境設定でリムーバブルハードディスク１ｂを立ち上げることができる。
【０１４８】
また、上記リムーバブルハードディスク１ｃを記録再生装置２ａに挿入した場合には、上記実施の形態１の図６で示したフローで処理が行なわれ、上記環境設定情報Ｃに基づいた環境設定でリムーバブルハードディスク１ｃを立ち上げることができる。
【０１４９】
さらに、上記リムーバブルハードディスク１ｄを記録再生装置２ａに挿入した場合には、上記実施の形態１の図６で示したフローで処理が行なわれ、上記環境設定情Ｄに基づいた環境設定でリムーバブルハードディスク１ｄを立ち上げることができる。
【０１５０】
このように、リムーバブルハードディスク（１ｂ・１ｃ・１ｄ）にそれぞれ異なる環境設定情報を持たすことにより、上記記録再生装置２ａは、複数のリムーバブルハードディスク（１ｂ・１ｃ・１ｄ）を、それぞれに記録された環境設定で起動させることが可能となる。
【０１５１】
なお、上記では、３つのリムーバブルハードディスク（１ｂ・１ｃ・１ｄ）を用いて説明したが、リムーバブルハードディスクの数は特に限定されるものではない。
【０１５２】
〔実施の形態３〕
本発明の他の実施の形態について図１１および図１２に基づいて説明すれば、以下のとおりである。なお、説明の便宜上、上記実施の形態１の図面に示した部材と同一機能を有する部材については、同一の符号を付し、その説明を省略する。
【０１５３】
図１１は、リムーバブルハードディスク１ｅを映像表示装置２’で用いる際の装置全体の概略構成を示した説明図である。
【０１５４】
映像表示装置２’は、図１１に示すとおり、記録再生装置２ａ’、モニタ２ｂ、アンテナ２ｃ、リモートコントローラ２ｄを有している。また、上記記録再生装置２ａ’には、スロット２ｅと固定ハードディスク２ｆとが設けられている。
なお、固定ハードディスク２ｆが備えられている点を除けば、記録再生装置２ａ’は、上記実施の形態１および２で示した記録再生装置２ａと同じ構成である。
【０１５５】
上記スロット２ｅは、リムーバブルハードディスク１ｅ（着脱可能な記録媒体）を記録再生装置２ａに挿入するために設けられている。また、上記固定ハードディスク２ｆ（他の記録媒体）には、デジタル放送が録画されているものとする。なお、本実施の形態においては、固定ハードディスク２ｆを用いて説明を行うが、これに限定されるものではなく、上記リムーバブルハードディスク１ｅとは異なるリムーバブル記録媒体と、このリムーバブル記録媒体を扱える装置を備える構成としてもよい。
【０１５６】
さらに、上記リムーバブルハードディスク１ｅは実施の形態１で示したリムーバブルハードディスク１ａと同様な構成であって、ＲＡＭ領域１２に環境設定情報を有する記録媒体である。なお、本実施の形態では、リムーバブル記録媒体の一例として、上記リムーバブルハードディスク１ｅを用いているが、これに限定されるものではなく、上記実施の形態１で示したように、様々な記録媒体を用いることができる。
【０１５７】
本実施形態では、デジタル放送信号としてＣＳデジタル放送信号が録画されている場合を例に挙げて説明する。
【０１５８】
上記ＣＳデジタル放送信号には、番組データとして電子番組ガイド（ＥＰＧ）が含まれている。電子番組ガイド（ＥＰＧ）は、ＣＳデジタル放送信号に重畳して送られてくる文字データであって、番組のタイトル、話数、放送時間、概要等で構成されている。
【０１５９】
ここで、固定ハードディスク２ｆには、複数のＣＳデジタル放送番組が録画されているものとする。また、リムーバブルハードディスク１ｅには、環境設定情報として、番組名を指定して毎週その番組を録画する設定（以下、お好み設定と称する）がされているものとする。
【０１６０】
図１２は、番組名を指定して毎週その番組を録画する設定情報に基づいて、ＣＳデジタル放送番組を自動コピーする処理を示したフローチャートである。
【０１６１】
以下、図１２に基づいて、リムーバブルハードディスク１ｅを記録再生装置２’に挿入し、記録再生装置２’を起動して環境設定を行なったときに、お好み設定に基づいてＣＳデジタル放送番組を自動コピーする手順を説明する。
【０１６２】
なお、上記図１２に示すフローチャートは、リムーバブルハードディスク１ｅを挿入し、中央処理部２２により、環境設定情報が読み込まれて待機状態に移った後に行われるものとする。
【０１６３】
まず、リムーバブルハードディスク１ｅから読み込まれた環境設定情報のうちに、お好み設定があるか否かが記録再生装置２’により判断される（Ｓ５０１）。上記お好み設定があれば、固定ハードディスク２ｆに記録されている録画番組の番組名と、お好み設定されている番組名とを比較し、固定ハードディスク２ｆに、お好み設定されている番組名と一致する番組があるか否かの判断を行なう（Ｓ５０２）。一方、上記お好み設定がなければ、特に処理は行なわず、処理を終了する。
【０１６４】
上記Ｓ５０２のステップにおいて、固定ハードディスク２ｆにお好み設定されている番組名と一致する番組名がある場合には、その一致した番組名における番組の話数や放送時間をリムーバブルハードディスク１ｅに録画されている番組のものと比較し、上記リムーバブルハードディスク１ｅに、全く同一内容の番組が録画されていないかを判断する（Ｓ５０３）。一方、Ｓ５０２において、固定ハードディスク２ｆにお好み設定されている番組名と一致する番組名がない場合には、上記表示部２４を介してモニタ２ａに一致するものがない旨を表示し（Ｓ５０４）、処理を終了する。
【０１６５】
上記Ｓ５０３のステップにおいて、全く同一内容の番組は録画されていないと判断された場合には、固定ハードディスク２ｆの録画内容をリムーバブルハードディスク１ｅにコピーする（Ｓ５０５）。一方、上記Ｓ５０３のステップにおいて、全く同一内容の番組が録画されていると判断された場合には、固定ハードディスク２ｆの録画内容をコピーせず、Ｓ５０２のステップへ戻り他にコピーできる番組を探す。
【０１６６】
上記Ｓ５０５のステップの後は、上記表示部２４を介してモニタ２ｂに、コピーを行なった旨を伝えるメッセージを表示し（Ｓ５０６）、処理を終了する。
【０１６７】
本実施の形態では、お好み設定による録画番組のコピーについて説明したが、デジタル番組の情報を利用して検索し、自動的にコピーするのであれば設定の内容は限定されるものではない。
【０１６８】
このように、固定ハードディスクあるいは他のリムーバブル記録媒体等を１つ以上具備している記録再生装置において、リムーバブルハードディスクを挿入し、環境設定が成され、かつ、予約設定等の情報を利用することにより、必要な番組が存在すれば自動的に挿入したリムーバブルハードディスクに番組をコピーすることができる。
【０１６９】
ただし、本実施の形態は、ユーザ固有の設定で記録再生装置を起動し、予約設定等の設定情報にもとづいて自動的にリムーバブル記録媒体に録画内容をコピーすることができる処理の一例であり、処理を限定するものではない。
【０１７０】
また、上記実施の形態１から３で示したリムーバブル記録媒体に記録されている、録画データ、環境設定情報、起動プログラム、および、オペレーティングシステム等を、ネットワークを介して、複数の記録再生装置間で送受信させて用いる場合においても、記録再生装置毎の環境設定で記録再生装置を利用することができる。
【０１７１】
【発明の効果】
本発明の着脱可能な記録媒体は、以上のように、前記記録媒体を利用可能な記録再生装置の使用時における環境設定を示す、記録再生装置毎の環境設定情報と、前記記録再生装置を起動させる起動プログラムと、前記環境設定情報に基づき記録再生装置を動作させるオペレーティングシステムとを記録したものである。
【０１７２】
それゆえ、記録再生装置で着脱可能な記録媒体を再生する際に、上記起動プログラムで記録再生装置を起動させ、オペレーティングシステムで、この記録再生装置に対応した環境設定にて記録再生装置を動作させることにより、その使用の都度、記録再生装置の初期の設定をユーザが変更するといった手間がなくなり、常に、記録再生装置毎にユーザ好みの環境設定で記録再生装置を利用することが可能となる。したがって、ユーザが設定した環境設定情報についても録画したデジタル放送と共に可搬できるようになり、記録再生装置を快適に利用することができるという効果を奏する。
【０１７３】
また、本発明の着脱可能な記録媒体は、上記の着脱可能な記録媒体において、前記環境設定情報は、前記記録再生装置を他の記録再生装置と識別する装置固有の情報を有しているものである。
【０１７４】
それゆえ、記録再生装置で着脱可能な記録媒体を再生する際に、上記装置固有の情報に基づくことにより、記録再生装置が、この記録再生装置に対応した環境設定情報を読み出すことが可能となるという効果を奏する。
【０１７５】
また、本発明の着脱可能な記録媒体は、上記の着脱可能な記録媒体において、前記記録再生装置の環境設定が変更された場合、変更された環境設定に基づいた環境設定情報が記録されるものである。
【０１７６】
それゆえ、上記記録再生装置を、再度、使用する場合においても、変更した環境設定で記録再生装置を起動することが可能となるという効果を奏する。
【０１７７】
また、本発明の着脱可能な記録媒体は、上記の着脱可能な記録媒体において、前記環境設定情報は、前記着脱可能な記録媒体に記録されたデジタル放送を所定の順に再生するためのプログラム再生設定を有しているものである。
【０１７８】
それゆえ、このプログラム再生設定が含まれる環境設定情報を、一旦、例えば記録再生装置の立ち上げ時に記録再生装置が読み込めば、記録再生装置の起動後において、ユーザは特別な操作を行なわなくても、自動的にユーザ好みの順番で番組の再生を行なうことが可能となるという効果を奏する。
【０１７９】
また、本発明の着脱可能な記録媒体は、上記の着脱可能な記録媒体において、前記環境設定情報は、各ユーザのユーザ名とパスワードとが設定された個人環境設定を有しているものである。
【０１８０】
それゆえ、この着脱可能な記録媒体を用いることにより、個人認証が必要となるサービス、例えばメールの送受信のサービスを、ユーザ名等の登録がされていない記録再生装置においても、パスワードの確認を行なうだけで受けることが可能となるという効果を奏する。
【０１８１】
本発明の着脱可能な記録再生装置は、以上のように、前記着脱可能な記録媒体に、前記記録再生装置の使用時における環境設定を示す環境設定情報を記録する記録部と、前記記録再生装置の起動時に、前記着脱可能な記録媒体に記録された前記環境設定情報に基づき前記記録再生装置の環境設定を行なう設定部とを有するものである。
【０１８２】
それゆえ、上記記録再生装置は、使用する着脱可能な記録媒体に環境設定情報を記録することができると共に、この記録再生装置に関し異なる環境設定情報を有する複数の着脱可能な記録媒体を使用する場合においても、それぞれの着脱可能な記録媒体に記録された環境設定情報に基づき環境設定を行なうことが可能となる。
【０１８３】
したがって、記録再生装置で着脱可能な記録媒体を再生する際には、その使用の都度、記録再生装置の初期の設定をユーザが変更するといった手間がなくなり、常に、着脱可能な記録媒体毎に記録された環境設定で記録再生装置を利用することが可能となるという効果を奏する。
【０１８４】
また、本発明の記録再生装置は、上記の記録再生装置において、前記記録部は、前記着脱可能な記録媒体に、起動プログラムおよびオペレーティングシステムを記録するものであり、さらに、前記記録再生装置は、前記起動プログラムに基づいて前記オペレーティングシステムを起動させる起動部を備えているものである。
【０１８５】
それゆえ、記録再生装置に、起動プログラムおよびオペレーティングシステムを記録させておく必要がなくなり、記録再生装置におけるメモリ等の記憶領域の使用量を少なくすることができるという効果を奏する。
【０１８６】
また、本発明の記録再生装置は、上記の記録再生装置において、前記記録部は、前記記録再生装置を他の記録再生装置と識別する装置固有の情報を、前記着脱可能な記録媒体に環境設定情報として記録するものであり、前記設定部は、前記着脱可能な記録媒体を利用する場合には、前記装置固有の情報に基づいた環境設定を行なうものである。
【０１８７】
それゆえ、記録再生装置で着脱可能な記録媒体を再生する際に、上記装置固有の情報に基づくことにより、記録再生装置が、この記録再生装置に対応した環境設定情報を基に環境設定を行なうことが可能となるという効果を奏する。
【０１８８】
また、本発明の記録再生装置は、上記の記録再生装置において、前記環境設定情報は、前記着脱可能な記録媒体に記録されたデジタル放送を所定の順に再生するためのプログラム再生設定を有し、前記プログラム再生設定に基づいて、前記着脱可能な記録媒体に記録されたデジタル放送を再生するものである。
【０１８９】
それゆえ、このプログラム再生設定が含まれる環境設定情報を、一旦、例えば記録再生装置の立ち上げ時に記録再生装置が読み込めば、記録再生装置の起動後において、ユーザは特別な操作を行なわなくても、自動的にユーザ好みの順番で番組の再生を行なうことが可能となるという効果を奏する。
【０１９０】
また、本発明の記録再生装置は、上記の記録再生装置において、前記環境設定情報は、各ユーザのユーザ名とパスワードとが設定された個人環境設定を有し、前記個人環境設定に基づいて、前記記録再生装置の利用が可能となるものである。
【０１９１】
それゆえ、記録再生装置にユーザ名等の登録がされていなくとも、着脱可能な記録媒体を用いることにより、個人認証が必要となるサービス、例えばメールの送受信のサービスを、パスワードの確認を行なうだけで、上記記録再生装置で受けることが可能となるという効果を奏する。
【０１９２】
また、本発明の記録再生装置は、上記の記録再生装置において、内部に、デジタル放送を録画可能な他の記録媒体を、少なくとも１つ以上備え、前記環境設定情報は、前記他の記録媒体に録画されたデジタル放送を、前記着脱可能な記録媒体に複製するための予約設定を有し、前記予約設定に基づき、前記他の記録媒体に録画されたデジタル放送を複製するものである。
【０１９３】
それゆえ、録再生装置が予約設定を読み込むことにより、その後の特段の操作を必要とせずに、着脱可能な記録媒体に複製したいとユーザが考えている録画されたデジタル放送を、前記着脱可能な記録媒体に複製することが可能となる。
【０１９４】
本発明の記録再生装置の環境設定方法は、以上のように、前記記録再生装置が、前記着脱可能な記録媒体に予め記録された、前記記録再生装置の使用時における環境設定を示す環境設定情報を読み取る第１のステップと、前記第１のステップで読み取った環境設定情報に基づいて記録再生装置の環境設定を行う第２のステップとを備えている方法である。
【０１９５】
それゆえ、上記記録再生装置に関し異なる環境設定情報が記録された複数の着脱可能な記録媒体を利用する場合においても、それぞれの着脱可能な記録媒体に記録された環境設定情報に基づき環境設定を行なえる。
【０１９６】
したがって、上記の方法を用いることにより、記録再生装置で着脱可能な記録媒体を再生する際に、その使用の都度、記録再生装置の初期の設定をユーザが変更するといった手間がなくなり、常に、着脱可能な記録媒体毎に記録された環境設定情報に基づいた環境設定を行なうことができるという効果を奏する。
【０１９７】
本発明の環境設定プログラムは、上記の記録再生装置の環境設定方法をコンピュータに実行させるものである。
【０１９８】
それゆえ、一般的なコンピュータに上記環境設定プログラムをロードすることにより、コンピュータを上記記録再生装置として利用できるという効果を奏する。
【図面の簡単な説明】
【図１】図１は、ＲＯＭ領域とＲＡＭ領域とのそれぞれの領域に記録されているデータを示した説明図である。
【図２】図２は、リムーバブルハードディスクを複数の映像表示装置で用いる際の装置全体の概略構成を示した説明図である。
【図３】図３は、記録再生装置の構成を示すブロック図である。
【図４】図４は、リムーバブルハードディスクの概略構成を示した説明図である。
【図５】図５は、ＲＡＭ領域に記録される環境設定情報の一例を示した説明図である。
【図６】図６は、リムーバブルハードディスクによる記録再生装置の起動の手順を示すフローチャートである。
【図７】図７は、プログラム再生の一設定例を示した説明図である。
【図８】図８は、プログラム再生を自動的に行なう自動再生処理を示したフローチャートである。
【図９】図９は、ユーザ認証時における認証処理を示したフローチャートである。
【図１０】図１０は、複数のリムーバブルハードディスクを１つの映像表示装置で用いる際の装置全体の概略構成を示した説明図である。
【図１１】図１１は、リムーバブルハードディスクを他の映像表示装置で用いる際の装置全体の概略構成を示した説明図である。
【図１２】図１２は、番組名を指定して毎週その番組を録画する設定情報に基づいて、ＣＳデジタル放送番組を自動コピーする処理を示したフローチャートである。
【図１３】図１３は、従来の記録再生装置における処理内容を示したフローチャートである。
【符号の説明】
１ａ、１ｂ、１ｃ、１ｄ、１ｅ  リムーバブルハードディスク（着脱可能な記録媒体）
２ａ、２ａ’、３ａ  記録再生装置
２ｂ、３ｂ  モニタ
２ｅ、３ｅ  スロット
２ｆ  固定ハードディスク（他の記録媒体）
１１  ＲＯＭ領域
１２  ＲＡＭ領域
２１  インタフェイス部（記録部）
２２  中央処理部（設定部、起動部）
２５  不揮発性メモリ
【図１】
2004152450.tif 000003
【図２】
2004152450.tif 000004
【図３】
2004152450.tif 000005
【図４】
2004152450.tif 000006
【図５】
2004152450.tif 000007
【図６】
2004152450.tif 000008
【図７】
2004152450.tif 000009
【図８】
2004152450.tif 000010
【図９】
2004152450.tif 000011
【図１０】
2004152450.tif 000012
【図１１】
2004152450.tif 000013
【図１２】
2004152450.tif 000014
【図１３】
2004152450.tif 000015